(57)【要約】      （修正有）【課題】ボトルガムのガムに手を触れることなくガムを１粒ずつ簡単に取り出すことができるガム排出器を提供する。【解決手段】ボトルガムのボトル本体４１をケース２に装着でき、ハンドル１５を操作してケース内の回転板１０を回転させると、ケースのガム収容部に収容されたガムのうちの回転板のガム捕捉孔１４に収容された１粒のガムをガム落下位置まで移動させて、そのガムをガム排出口３まで排出するように構成した。【選択図】図３
0003140335.tif 000002
【実用新案登録請求の範囲】
【請求項１】
上方に開口するガム収容部と、市販のボトルガムのボトル本体を該ボトル本体の開口端で装着して該ガム収容部と該ボトル本体の内部空間とを連通させるためのボトル装着構造とを有するケースと、
前記ケース内の上下方向途中位置に設けられ前記ガム収容部の底壁を構成するとともに１粒のガムを収容する大きさのガム捕捉孔が形成され、所定の軸線を中心に回転可能な回転板と、
前記ケース内の前記回転板の直下に設けられ、１粒のガムを収容する大きさのガム捕捉孔を所定落下位置に有し該回転板の回転によって前記ガム捕捉孔が該ガム捕捉孔と合致した際に該ガム捕捉孔に収容されているガムを該所定落下位置で落下させるガム落下規制部材と、
前記ケースに設けられ、前記所定落下位置で落下したガムを該ケース外へ排出するためのガム排出口と、
前記ケース内の前記回転板の直上に設けられ、前記所定落下位置を被覆するとともに、該回転板の回転の際に前記ガム捕捉孔に収容されたガムが該所定落下位置に導かれるのを許容しそれ以外のガムが該所定落下位置まで導かれるのを防止するカバー部材と、
前記ケースの外側に設けられ、前記回転板を回転させるための回転板操作部材と、
を備えたことを特徴とするガム取出し装置。
【請求項２】
前記回転板には、前記ガム捕捉孔が該回転体の周方向に所定間隔で形成されていることを特徴とする請求項１に記載のガム取出し装置。
【請求項３】
前記カバー部材の上面は、該上面からガムが前記回転板上に落下する方向に傾斜して形成されていることを特徴とする請求項１または２に記載のガム取出し装置。
【請求項４】
前記ボトル装着構造は、前記ケースに対して交換可能なアダプタによって構成されていることを特徴とする請求項１〜３のいずれか一に記載のガム取出し装置。
【請求項５】
前記カバー部材は、少なくとも入り口側に、前記回転板の回転の際に該回転板の上に存在するガムを掃いて前記ガム捕捉孔に収容されたガムが該所定落下位置に導かれるのを許容しそれ以外のガムが該所定落下位置まで導かれるのを防止する弾性片を備えることを特徴とする請求項１〜４のいずれか一に記載のガム取出し装置。
【請求項６】
前記回転操作手段は、前記回転板の周縁上面に形成されたラックと、前記ケースの外壁に設置され、軸が前記ケースの内部に延設されたハンドルと、該軸の一端に固定され前記ラックと噛合するピニオンとによって構成されていることを特徴とする請求項１〜５のいずれか一に記載のガム取出し装置。
【考案の詳細な説明】
【技術分野】
【０００１】
本考案は、市販のボトルガムに収容されているガムを１粒ずつ取り出すガム取出し装置に関するものである。
【背景技術】
【０００２】
包装されていない粒状のガム、をボトルに詰めた、所謂、ボトルガムが販売されている。ボトルガムは、一般に、矩形状のガムが円筒状プラスチックボトルに詰め込まれており、ガムを咬む際に、その都度、蓋を開けてボトルからガムを取り出すようになっている。
【考案の開示】
【考案が解決しようとする課題】
【０００３】
このボトルガムでは、ボトルの蓋を開け、ボトル本体内に手を入れてガムを取り出す必要がある。しかし、ガムが残り少なくなった場合には、ボトル本体内に深く手を入れなければならず、取出しが面倒な場合がある。また、ボトルガムでは、ガムが包装されていない状態でボトル本体内に収容されているため、可能な限り取り出すガム以外には手を触れないことが好ましい。
【０００４】
本考案は、かかる問題点を解決するためになされたもので、ボトルガムのガムに手を触れることなくガムを１粒ずつ簡単に取り出すことができるガム排出器を提供することを目的とする。
【課題を解決するための手段】
【０００５】
請求項１の考案は、
上方に開口するガム収容部と、市販のボトルガムのボトル本体を該ボトル本体の開口端で装着して該ガム収容部と該ボトル本体の内部空間とを連通させるためのボトル装着構造とを有するケースと、
前記ケース内の上下方向途中位置に設けられ前記ガム収容部の底壁を構成するとともに１粒のガムを収容する大きさのガム捕捉孔が形成され、所定の軸線を中心に回転可能な回転板と、
前記ケース内の前記回転板の直下に設けられ、１粒のガムを収容する大きさのガム捕捉孔を所定落下位置に有し該回転板の回転によって前記ガム捕捉孔が該ガム捕捉孔と合致した際に該ガム捕捉孔に収容されているガムを該所定落下位置で落下させるガム落下規制部材と、
前記ケースに設けられ、前記所定落下位置で落下したガムを該ケース外へ排出するためのガム排出口と、
前記ケース内の前記回転板の直上に設けられ、前記所定落下位置を被覆するとともに、該回転板の回転の際に前記ガム捕捉孔に収容されたガムが該所定落下位置に導かれるのを許容しそれ以外のガムが該所定落下位置まで導かれるのを防止するカバー部材と、
前記ケースの外側に設けられ、前記回転板を回転させるための回転板操作部材と、
を備えたことを特徴とするガム取出し装置である。
【０００６】
請求項２の考案は、前記回転板には、前記ガム捕捉孔が該回転体の周方向に所定間隔で形成されていることを特徴とする請求項１に記載のガム取出し装置である。
【０００７】
請求項３の考案は、前記カバー部材の上面は、該上面からガムが前記回転板上に落下する方向に傾斜して形成されていることを特徴とする請求項１または２に記載のガム取出し装置である。
【０００８】
請求項４の考案は、前記ボトル装着構造は、前記ケースに対して交換可能なアダプタによって構成されていることを特徴とする請求項１〜３のいずれか一に記載のガム取出し装置である。
【０００９】
請求項５の考案は、前記カバー部材は、少なくとも入り口側に、前記回転板の回転の際に該回転板の上に存在するガムを掃いて前記ガム捕捉孔に収容されたガムが該所定落下位置に導かれるのを許容しそれ以外のガムが該所定落下位置まで導かれるのを防止する弾性片を備えることを特徴とする請求項１〜４のいずれか一に記載のガム取出し装置である。
【００１０】
請求項６の考案は、前記回転操作手段は、前記回転板の周縁上面に形成されたラックと、前記ケースの外壁に設置され、軸が前記ケースの内部に延設されたハンドルと、該軸の一端に固定され前記ラックと噛合するピニオンとによって構成されていることを特徴とする請求項１〜５のいずれか一に記載のガム取出し装置である。
【考案の効果】
【００１１】
請求項１〜６の考案によれば、ボトルガムのボトル本体を開口端側でケースに装着することによって、ボトル本体内のガムがケースのガム収容部に入る。この状態で、回転板操作手段を操作すると、回転板が回転して１粒のガムが所定落下位置まで導かれる。そして、その１粒のガムはガム落下口から落下してガム排出口に導かれる。その結果、１粒のガムをボトル本体に手を入れずに簡単に取り出すことができる。
【００１２】
請求項２の考案によれば、回転板にはガム捕捉孔が該回転体の周方向に所定間隔で形成されているので、１粒のガムを取り出すのに必要な回転板の回転量が少なくて済む。換言すれば、１粒のガムを取り出すのに必要な回転板操作部材の操作量が少なくて済むことになる。
【００１３】
請求項３の考案によれば、カバー部材の上面の乗ったガムは該上面から回転板上に効果的に落下するので、カバー部材の上面に乗ったガムが該上面に留まることがなくなる。
【００１４】
請求項４の考案によれば、アダプタを使用すれば、様々なボトル本体をケースに装着することができる。
【００１５】
請求項５の考案によれば、カバー部材の弾性片が回転板の上に存在するガムを掃くので、カバー部材と回転板との間にガムが食い込んで、カバー部材が損傷することを防止することができる。
【００１６】
請求項６の考案によれば、ハンドルを回すことによって機械的に回転板が回転するので、電力が不要であり、省エネに適したガム取出し装置が実現できる。
【考案を実施するための最良の形態】
【００１７】
図１は、本考案に係るガム取出し装置を示した斜視図、図２は、図１に示したガム取出し装置の概念的な分解斜視図、図３は、図１に示したガム取出し装置の概念的な縦断面図である。
【００１８】
実施形態のガム取出し装置１は、扁平で直方形の矩形状ガム４０をケース２のガム収容部に収容しておき、ハンドル１３を操作することによってガム４０を１粒ずつ排出させるものである。
【００１９】
このガム取出し装置１のケース２は、有底円筒形を成し、周壁（側壁）の前面下部に、ガム排出口３が形成され、周壁の前面中間部に軸孔４が形成されている。また、ケース２は、上下方向途中位置に落下規制部材５を備えている。この落下規制部材５の中心には軸受け孔６が形成されている。この軸受け孔６には後述のように回転板１０の軸１１ｂが挿入される。落下規制部材５の上面周縁部には環状リブ７が上方に向けて形成されている。環状リブ７は回転板１０の回転をガイドするためのもので、この環状リブ７は後述のように回転板１０の環状凹部１３に挿入される。また、落下規制部材５の一部（所定落下位置）には、図２に示すように、ガム４０よりも僅かに大きなガム落下口８が形成されている。さらに、ケース２の内面上縁には、３段の環状リブ９ａ，９ｂ，９ｃが内方に向けて形成されている。
なお、ケース２は、図２に示すように、軸心を含む面によって２分割された前枠と後枠とによって形成されている。そして、前枠と後枠とは後述する内部部品を収容した後に、ねじ，接着剤等によって互いに結合されている。なお、前枠および後枠には、落下規制部材５の半月板状半部がそれぞれ付設されている。そして、前枠および後枠を互いに結合した際に互いの半月板状半部が合わさって上記落下規制部材５が形成され、中心に上記軸受け孔６が形成される。
【００２０】
ケース２内には、落下規制部材５の直上に回転板１０が配置されている。回転板１０はガム４０の厚みよりも僅かに大きな厚みを有している。この回転板１０には、中心に上下に延びる軸１１ａ，１１ｂが立設されている。また、回転板１０の上面には、その周縁に環状ラック１２が形成されている。一方、回転板１０の下面には、落下規制部材５の環状リブ７が挿入される環状凹部１３が形成されている。また、回転板１０には、ガム４０の形状よりも僅かに大きな３つのガム捕捉孔１４が等間隔に形成されている。
そして、この回転板１０は、下方に伸びる軸１１ｂが落下規制部材５の軸受け孔６に挿入され、環状凹部１３には落下規制部材５の環状リブ７が挿入されて、落下規制部材５によって回転可能に支持される。
【００２１】
ケース２の周壁に形成された軸孔４には、外部からハンドル１５の軸１６が挿通され、該軸１６の先端にはピニオン１７が固定して設けられている。そして、ピニオン１７は回転板１０の環状ラック１２に噛合している。その結果、ハンドル１５を回転した際に環状ラック１２が回転するようになっている。
【００２２】
また、ケース２内には円筒形の筒体１８が配設される。筒体１８には上端外周に外向きのフランジ１９が形成されている。筒体１８の内周面には、筒体１８の軸心まで張り出すカバー部材２００が付設されている。
カバー部材２００は、回転板１０の上方に配設されて所定落下位置を被覆するとともに、回転板１０の回転の際にガム捕捉孔１４に収容されたガム４０が該所定落下位置に導かれるのを許容しそれ以外のガム４０が所定落下位置まで導かれるのを防止する働きをする。このカバー部材２００はガイド部材２０と弾性片２１とを含んで構成されている。ガイド部材２０は、上方から見て、略舌片状を呈しガム４０の大きさよりも大きな面積を有している。ガイド部材２０の上面は、筒体１８の軸心に向けて下り勾配を持っている。ガイド部材２０の上面が下り勾配を持つことによって、ガイド部材２０の上面に乗ったガム４０は滑動して回転板１０上に効果的に供給されることになる。ガイド部材２０の両側面には、ゴム等によって形成された弾性片２１が垂下状態で設けられており、弾性片２１の下端は回転板１０に当接している。ガイド部材２０の先端下面には、柱体２２が下方に向けて垂設されている。柱体２２の下端面であって、筒体１８の軸心に対応する部位には、軸受け孔２３が形成されている。
そして、筒体１８は、そのフランジ１９がケース２の内向きの下段の環状リブ９ｃによって支持され、柱体２２の軸受け孔２３には回転板１０の軸１１ａが挿入される。
【００２３】
また、ケース２の上端側にはアダプタ２４が着脱可能に取り付けられている。アダプタ２４は、市販のボトルガムのボトル本体４１の開口端をケース２の開口に装着させるためのものである。このアダプタ２４は下端外周面にフランジ２５を有している。このアランジ２５は、上段の環状リブ９ａと中段の環状リブ９ｂとの間に挿入され、ケース２の中段の環状リブ９ｂによって支持される。このアダプタ２４の内周面にはボトル本体４１の開口部外周面の形状、例えば、環状突起，ねじ等に対応する形状の係止部２６を有している。係止部２６にはボトル本体４１の開口端が装着、つまり嵌合又は螺合される。
なお、ケース２の上端がボトル本体４１の開口端の形状に対応する形状となっており、ボトル本体４１が直接的に装着可能（嵌合可能又は螺合可能）な構成となっていれば、アダプタ２４は不要である。
ちなみに、市販のボトルガムにあっては、例えば、蓋体がリング状の帯に付設され、このリング状の帯はボトル本体から離脱できるようにされており、リング状の帯と共に蓋体を取り去った後には、ボトル本体の開口端の外側に環状突起が露出するようになっている。そのため、このようなボトルガム用の係止部として、ボトル本体の環状突起に隣接する環状溝に係合する環状リブをケース２の内周面に設ければ十分である。
【００２４】
また、ケース２自体にはポケット２７が設けられている。ポケット２７は、噛んだ後のガム４０を包んで処理するための捨て紙を収容するためのものである。このポケット２７は、上方と前方が開口するカバー部材２８の前面をケース２の後面に凹凸嵌合させて固定することによって形成される。
【００２５】
また、ケース２にはガム取出し台２９が設けられている。ガム取出し台２９は、ガム排出口３から外方へ延びている。このガム取出し台２９は、ガム４０がこぼれ落ちないように周壁３０を備えている。
【００２６】
また、実施形態のガム取出し装置１は、ガム取出し台２９の上面を閉塞するための蓋３１を備えている。蓋３１は、下面周縁に下方に突出するリブ３２を有し、後端に上方に突出する係止片３３を有している。そして、係止片３３をガム排出口３内に挿入させ、リブ３２によって周壁３０を囲うようにして、蓋３１をガム取出し台２９上に被せることによって、ケース２のガム排出口３の開口縁に係合される。
【００２７】
以上のように構成されたガム取出し装置１では、図３に示すように、蓋を開封した或いは蓋を取り去ったボトル本体４１の開口をアダプタ２４に装着する。すると、ボトル本体４１内のガム４０は、ケース２内のガム収容部に収容される。そして、ガム収容部に収容されたガム４０の一部は、図４に示すように、回転板１０のガム捕捉孔１４に収容される。
【００２８】
この状態で、ハンドル１５を回転操作して回転板１０を回転させると、ガム捕捉孔１４に収容されたガム４０は、弾性片２１の下側を通過して落下規制部材５のガム落下口８まで移動する。一方、回転板１０上に存在するガム４０は、弾性片２１によってガム落下口８への移動が阻止される。したがって、ガム落下口８に達したガム捕捉孔１４に収容されたガム４０のみが、落下規制部材５のガム落下口８からシュータ３４に落下し、そして、ガム排出口３からガム取出し台２９に排出される。
【００２９】
以上、本考案の実施形態について説明したが、本考案は、かかる実施形態に限定されるものではなく、その要旨を逸脱しない範囲で種々の変形が可能である。
例えば、上記実施形態では、回転板１０を回転させるために、第一に、回転板１０の環状凹部１３と落下規制部材５の環状リブ７とを係合する構造と、第二に、回転板１０の軸１１ａをカバー部材２０の柱体２２の軸受け孔２３に挿入するとともに、回転板１０の軸１１ｂを落下規制部材５の軸受け孔６に挿入する構造としたが、回転板５の外周部をケース２の内周部で回転案内する構造とすれば、第一の構造又は第二の構造は不要である。
また、上記実施形態では、ボトル本体４１をケース２に内嵌させるようにしたが、ボトル本体４１をケース２に外嵌させるようにしても良い。
【図面の簡単な説明】
【００３０】
【図１】本考案に係るガム取出し装置を示した斜視図である。
【図２】図１に示したガム取出し装置の概念的な分解斜視図である。
【図３】図１に示したガム取出し装置の概念的な縦断面図である。
【図４】図１に示したガム取出し装置における作用を説明するための図であり、（Ａ）は回転板の上方で断面にした要部平面図、（Ｂ）は（Ａ）におけるＡ−Ａ線断面図である。
【符号の説明】
【００３１】
１    ガム取出し装置
２    ケース
３    ガム排出口
５    落下規制部材
８    ガム落下口
１０    回転板
１２    環状ラック
１４    ガム捕捉孔
１５    ハンドル
１６    軸
１７    ピニオン
２１    弾性片
２４    アダプタ
４０    ガム
４１    ボトル本体
【図１】
0003140335.tif 000003
【図２】
0003140335.tif 000004
【図３】
0003140335.tif 000005
【図４】
0003140335.tif 000006